(57)【特許請求の範囲】
【請求項１】
入力操作を受け付ける操作入力部をベースプレート上で上下動可動に支持した入力装置であって、
前記ベースプレートは、前記操作入力部側に向かって起立形成されたフックを備え、
前記操作入力部は、前記フックに当接可能なアーム部材を備え、
前記アーム部材が前記フックに当接することで前記操作入力部の上昇限度が規定されるものであり、
前記アーム部材又は前記フックの少なくとも一方が、互いの当接方向に対して弾性を有することを特徴とする入力装置。
【請求項２】
請求項１に記載の入力装置において、
前記ベースプレートは、前記フックに対向する他のフックを備え、
前記操作入力部は、前記アーム部材に対向する他のアーム部材を備え、
前記他のアーム部材は、前記アーム部材と前記フックとの当接によって規定される前記操作入力部の上昇限度よりも上方となる位置で前記他のフックと当接可能であることを特徴とする入力装置。
【請求項３】
請求項２に記載の入力装置において、
前記アーム部材が弾性を有する場合に、前記他のアーム部材が前記アーム部材よりも高い剛性を有することを特徴とする入力装置。
【請求項４】
請求項２又は３に記載の入力装置において、
前記フックが弾性を有する場合に、前記他のフックが前記フックよりも高い剛性を有することを特徴とする入力装置。
【請求項５】
請求項２から４のいずれか一項に記載の入力装置において、
前記アーム部材と前記他のアーム部材との先端には、互いに対向する方向に突出した突出片がそれぞれ設けられ、
前記フックと前記他のフックとが、それぞれの前記突出片に当接可能であることを特徴とする入力装置。
【請求項６】
請求項１から５のいずれか一項に記載の入力装置において、
前記アーム部材は、前記操作入力部に対する押下操作の操作方向と交差する方向に突出形成され、その先端部で前記フックに当接することを特徴とする入力装置。
【請求項７】
請求項１から６のいずれか一項に記載の入力装置において、
前記操作入力部は、タッチ操作を受け付け可能かつ押下操作を受け付け可能なタッチパッドであることを特徴とする入力装置。
【請求項８】
請求項１から７のいずれか一項に記載の入力装置と、キーボード装置と、前記入力装置及び前記キーボード装置の入力操作に基づく表示を行うディスプレイ装置とを備えることを特徴とする電子機器。
【発明の詳細な説明】
【技術分野】
【０００１】
本発明は、入力操作を受け付ける操作入力部をベースプレート上で上下動可動に支持した入力装置、及びこの入力装置を備えた電子機器に関する。
【背景技術】
【０００２】
例えばノートブック型パーソナルコンピュータ（ノート型ＰＣ）では、キーボード装置以外にも、マウスの代替となるタッチパッドやポインティングスティック等の各種入力装置が設けられている。タッチパッドは、指先やペン先でのタッチ操作を受けてディスプレイ装置に表示されたカーソルを操作するものである。
【０００３】
このようなタッチパッドを備えた入力装置に関し、本出願人は特許文献１において、タッチ操作及び押下操作（入力操作）を可能とした構成を提案している。この構成では、入力操作を受け付ける操作入力部をベースプレート上で上下動可動に支持している。例えばタッチパッド（操作入力部）のタッチ面に複数の疑似ボタン領域が設定されており、各疑似ボタン領域をタッチしながらタッチパッドを押下操作（クリック操作）することで各疑似ボタン領域に対応した入力操作を行うことが可能となっている。
【先行技術文献】
【特許文献】
【０００４】
【特許文献１】特開２０１３−２５４２２号公報
【発明の概要】
【発明が解決しようとする課題】
【０００５】
ところで、上述した入力装置には、タッチパッドを押下操作して押し下げた後に、タッチパッドの上昇限度（位置）を規定するための部材が設けられている。タッチパッドを押下操作して、元の位置に戻る際には、前述の上昇限度を規定する部材にタッチパッドが当接し、音（返り音）が生じる。このようにタッチパッドが上昇限度を規定する部材に当接する際に生じる音を低減することが求められている。
【０００６】
本発明は、上記従来技術の課題を考慮してなされたものであり、操作入力部を押下操作し、操作入力部が元の位置に戻る際に生じる音を低減可能な入力装置及び該入力装置を備える電子機器を提供することを目的とする。
【課題を解決するための手段】
【０００７】
本発明に係る入力装置は、入力操作を受け付ける操作入力部をベースプレート上で上下動可動に支持した入力装置であって、前記ベースプレートは、前記操作入力部側に向かって起立形成されたフックを備え、前記操作入力部は、前記フックに当接可能なアーム部材を備え、前記アーム部材が前記フックに当接することで前記操作入力部の上昇限度が規定されるものであり、前記アーム部材又は前記フックの少なくとも一方が、互いの当接方向に対して弾性を有することを特徴とする。
【０００８】
このような構成によれば、操作入力部を備えるアーム部材がベースプレートのフックに当接することで操作入力部の上昇限度が規定され、アーム部材又はフックの少なくとも一方が、互いの当接方向に対して弾性を有する構成とされているので、操作入力部を押下操作した場合に操作入力部が元の位置に戻る際に、アーム部材がフックに当接して生じる音（返り音）を低減することができる。
【０００９】
また、本発明に係る入力装置において、前記ベースプレートは、前記フックに対向する他のフックを備え、前記操作入力部は、前記アーム部材に対向する他のアーム部材を備え、前記他のアーム部材は、前記アーム部材と前記フックとの当接によって規定される前記操作入力部の上昇限度よりも上方となる位置で前記他のフックと当接可能である構成としてもよい。
【００１０】
この場合、他のアーム部材は、操作入力部の上昇限度よりも上方となる位置で他のフックと当接可能に構成されているので、大きな力が付加されても他のアーム部材と他のフックとが当接することにより、操作入力部がベースプレートから抜けてしまうことを防止できる。すなわち、この他のアーム部材と他のフックとが抜け止めとして機能し、例えばアーム部材とフックとによって操作入力部の上昇限度を規定できないような大きな力が付与されても操作入力部がベースプレートから外れてしまうことを防止できる。ここで、他のアーム部材は、操作入力部の上昇限度よりも上方となる位置で他のフックと当接可能とされているので、操作入力部を押下操作した後に元の位置に戻る際に、先にアーム部材とフックとが当接するため、返り音を低減させるとともに、他のアーム部材と他のフックとを抜け止めとすることができる。
【００１１】
また、本発明に係る入力装置において、前記アーム部材が弾性を有する場合に、前記他のアーム部材が前記アーム部材よりも高い剛性を有するとよい。この場合、他のアーム部材がアーム部材よりも高い剛性を有するので、タッチパッドとベースプレートとに大きな力が付与されても、他のアーム部材と他のフックとの当接によって、タッチパッドがベースプレートから外れることを防止できる。
【００１２】
また、本発明に係る入力装置において、前記フックが弾性を有する場合に、前記他のフックが前記フックよりも高い剛性を有するとよい。この場合、他のフックがフックよりも高い剛性を有するので、タッチパッドとベースプレートとに大きな力が付与されても、他のアーム部材と他のフックとの当接によって、タッチパッドがベースプレートから外れることを防止できる。
【００１３】
また、本発明に係る入力装置において、前記アーム部材と前記他のアーム部材との先端には、互いに対向する方向に突出した突出片がそれぞれ設けられ、前記フックと前記他のフックとが、それぞれの前記突出片に当接可能である構成としてもよい。
【００１４】
また、本発明に係る入力装置において、前記アーム部材は、前記操作入力部に対する押下操作の操作方向と交差する方向に突出形成され、その先端部で前記フックに当接するとよい。この場合、アーム部材は操作入力部に対する押下操作の操作方向と交差する方向に突出形成されているので、厚み方向の寸法が増加することを回避することができ、入力装置の薄型化が可能となる。
【００１５】
また、本発明に係る入力装置において、前記操作入力部は、タッチ操作を受け付け可能かつ押下操作を受け付け可能なタッチパッドである構成としてもよい。
【００１６】
また、本発明に係る電子機器は、前述の入力装置と、キーボード装置と、前記入力装置及び前記キーボード装置の入力操作に基づく表示を行うディスプレイ装置とを備えることを特徴とする。
【発明の効果】
【００１７】
本発明によれば、アーム部材又はフックの少なくとも一方が、互いの当接方向に対して弾性を有するので、操作入力部を押下操作し、操作入力部が元の位置に戻る際に生じる音（返り音）を低減可能である。
【図面の簡単な説明】
【００１８】
【図１】図１は、本発明の一実施形態に係る入力装置を備えた電子機器の斜視図である。
【図２】図２は、本発明の一実施形態に係る入力装置の構成を模式的に示す側面断面図である。
【図３】図３は、図２に示す入力装置の斜視図である。
【図４】図４は、図３に示す入力装置が備えるベースプレートの要部を示す斜視図である。
【図５】図５は、図３に示す入力装置の要部を拡大した斜視図である。
【図６】図６は、図３に示す入力装置の要部を背面側から見た概略図である。
【図７】図７は、図３に示す入力装置が備えるハウジングプレートの要部を拡大した斜視図である。
【図８】図８は、本発明の一実施形態に係る入力装置が備えるタッチパッドを押下操作した状態を模式的に示す側面断面図である。
【図９】図９は、図５のＩＸ−ＩＸ断面を示す断面図である。
【発明を実施するための形態】
【００１９】
以下、本発明に係る入力装置について、この入力装置を備える電子機器との関係で好適な実施の形態を挙げ、添付の図面を参照しながら詳細に説明する。
【００２０】
図１は、本発明の一実施形態に係る入力装置１０を備えた電子機器１２の斜視図である。以下では、入力装置１０について図１に示す電子機器１２での使用形態を基準とし、手前側を前側（前方）、奥側を後側（後方）と呼び、電子機器１２を構成する本体筐体１４の厚み方向を上下方向、幅方向を左右方向と呼んで説明する。
【００２１】
図１に示すように、電子機器１２は、入力装置１０及びキーボード装置１６を有する本体筐体１４と、液晶ディスプレイ等のディスプレイ装置１８ａを有するディスプレイ筐体１８とを備えたノート型ＰＣである。ディスプレイ筐体１８は、左右一対のヒンジ１９，１９により本体筐体１４に対して開閉可能に連結されている。
【００２２】
本体筐体１４の内部には、図示しない基板、演算処理装置、ハードディスク装置、メモリ等の各種電子部品が収納されている。入力装置１０及びキーボード装置１６は、本体筐体１４の上面１４ａで前後に並んでいる。キーボード装置１６の略中央にはポインティングスティック２０が設けられている。ポインティングスティック２０はディスプレイ装置１８ａに表示されるカーソル（マウスポインタ）を操作するためのものであり、マウスの代わりとして操作可能な入力手段である。
【００２３】
本実施形態では、上記のようなノート型ＰＣである電子機器１２に対して入力装置１０を搭載した構成を例示するが、入力装置１０はデスクトップ型ＰＣ等に接続される単体のキーボード装置等に搭載されてもよい。
【００２４】
次に、入力装置１０の構成例について説明する。図２は、本発明の一実施形態に係る入力装置１０の構成を模式的に示す側面断面図であり、図３は、図２に示す入力装置１０の斜視図である。
【００２５】
図１及び図２に示すように、入力装置１０は、指先等の接近又は接触によるタッチ操作を受け付けるタッチパッド（操作入力部）２２と、タッチパッド２２の後縁部に沿って並んだ３個の押しボタン２４ａ，２４ｂ，２４ｃとを備える。図２及び図３に示すように、タッチパッド２２及び押しボタン２４ａ〜２４ｃは、金属製の板状部材であるベースプレート２６の上面側に支持されている。
【００２６】
先ず、押しボタン２４ａ〜２４ｃは、ポインティングスティック２０又はタッチパッド２２によるカーソル操作と連係して機能するものであり、それぞれ一般的なマウスでの左ボタン、中央ボタン、右ボタンに対応するクリック操作ボタンである。押しボタン２４ａ〜２４ｃはタッチパッド２２の前縁側に配置されてもよく、タッチパッド２２との間に本体筐体１４のフレームを介在して配置されてもよい。
【００２７】
図２に示すように、各押しボタン２４ａ〜２４ｃは、その後端縁部２８がベースプレート２６の後端縁部に立脚形成された支持片３０に対して回動可能に係合されることで、後端縁部２８を支点として揺動可能である。従って、各押しボタン２４ａ〜２４ｃの前端側を押下操作するとその内側に配設されたラバードーム３２が圧縮され、これによりベースプレート２６の上面に設けられたメンブレンスイッチ等の図示しないスイッチがオンされる。
【００２８】
次に、タッチパッド２２は、タッチ操作に加えて押下操作によるクリック動作が可能なクリックパッドとして構成されている。
【００２９】
図１に示すように、タッチパッド２２の表面であるタッチ操作面２２ａの前側には、疑似ボタン領域３４ａ，３４ｂが設定されている。疑似ボタン領域３４ａ，３４ｂは、タッチ操作面２２ａ上でのそれぞれの領域が座標で定義されたものであり、視認できるものではない。疑似ボタン領域３４ａ，３４ｂのいずれかに指先を接触させた状態でタッチパッド２２を押下操作すると、その疑似ボタン領域３４ａ，３４ｂに対応した処理や表示が行われる。例えば、２つの疑似ボタン領域３４ａ，３４ｂは、それぞれ一般的なマウスでの左ボタン、右ボタンに対応する。
【００３０】
図２に示すように、タッチパッド２２は、ベースプレート２６に対面配置される底面板となるハウジングプレート４０と、ハウジングプレート４０の上面に積層され、タッチ操作面２２ａに対するタッチ操作を検出する基板プレート（基板）４２と、基板プレート４２の上部に積層され、その表面がタッチ操作を受け付けるタッチ操作面２２ａとなるパッドプレート（パッド）４４とを有する３層構造である。なお、図３では、基板プレート４２及びパッドプレート４４を省略して図示している。
【００３１】
基板プレート４２は平面視矩形状の基板であり、パッドプレート４４へのタッチ操作及びタッチパッド２２に対する押下操作を検出するセンサである。基板プレート４２は、図示しない配線によって本体筐体１４内の基板に接続されている。また、基板プレート４２には、押しボタン２４ａ〜２４ｃからの図示しない配線が接続されている。パッドプレート４４は平面視矩形状のガラス板や樹脂板であり、基板プレート４２の上面に接着剤や両面テープ等によって固着されている。基板プレート４２の後端側下面には、左右方向に沿って延在する帯状の導電部であるグランドラインＧが設けられている（図２参照）。
【００３２】
図２及び図３に示すように、ハウジングプレート４０は平面視矩形状の樹脂板であり、基板プレート４２及びパッドプレート４４を保持する筐体部材である。ハウジングプレート４０の上面には基板プレート４２が接着剤や両面テープ等によって固着されている。ハウジングプレート４０の後端には、押しボタン２４ａ〜２４ｃの前端面に近接した後下がりの傾斜面４０ａが形成されている。このような傾斜面４０ａを設けたことにより、押しボタン２４ａ〜２４ｃの押下操作時にタッチパッド２２が邪魔になることがない。
【００３３】
ハウジングプレート４０の傾斜面４０ａの前側には、後方に向かって延びた弾性片４６が左右一対設けられている。弾性片４６は、その左右両側部及び後部を板厚方向に切り欠いて狭幅舌片状に形成されることで、ある程度の弾性を有した片持ち構造の部分である。弾性片４６の先端（後端）には、下方に湾曲しつつ位置ずれした爪部４６ａが設けられている。弾性片４６は、基板プレート４２の下面に対して固着されず、かつ少なくとも爪部４６ａが基板プレート４２との間に所定の隙間を設けて配設されることで、爪部４６ａの上面と基板プレート４２の下面との間に後述するベースプレート２６の上面を切り起こして形成した突出片５０を挟み込む。
【００３４】
さらに、ハウジングプレート４０の傾斜面４０ａの前側には、弾性片４６の爪部４６ａと略同様な形状を有して後方に短く延びた係合片４７が複数設けられている。各係合片４７もベースプレート２６から切り起こされた各突出片５０に対して係合されている（図２及び図３参照）。
【００３５】
ハウジングプレート４０は、各弾性片４６及び各係合片４７がベースプレート２６の各突出片５０に対してそれぞれ回動可能に係合されることで、この係合部分を支点とし、ハウジングプレート４０（タッチパッド２２）がベースプレート２６に対して揺動可能である。なお、本実施形態の場合には図示しないガイド構造により、ハウジングプレート４０がベースプレート２６に対して上下方向にガイドされているため、ハウジングプレート４０は各弾性片４６及び各係合片４７の各突出片５０に対する係合部分が多少前後に移動しつつ上下動する構成となっている。
【００３６】
図２に示すように、ハウジングプレート４０の下面略中央の前端付近には、検出スイッチ５５が配設されている。検出スイッチ５５は、タッチパッド２２が押下操作された際に所定の検出信号を発信するものである。検出スイッチ５５は、例えばハウジングプレート４０の下面から下に向かって膨らんだメタルドームスイッチであり、タッチパッド２２が押下された際にベースプレート２６上に当接することでオンされ、このオン信号が基板プレート４２によって検出される。
【００３７】
図３に示すように、ベースプレート２６の上面には突出片５０が起立形成されている。突出片５０は、ベースプレート２６の一部を上方に切り起こすとともにその上端に後方に向かって屈曲された当接板５０ａを有し、側面視コ字状に形成されている。突出片５０の当接板５０ａの上面には、上に向かって膨らんだドーム状の凸部５０ｂが設けられている。突出片５０は、ハウジングプレート４０の各弾性片４６及び各係合片４７に対応する位置にそれぞれ設けられている。各突出片５０のうち、弾性片４６に対応する突出片５０の下方には、ベースプレート２６の上面に形成された弾性押圧部５６が配置されている。
【００３８】
図４は、図３に示す入力装置１０が備えるベースプレート２６の要部を示す斜視図であり、図５は、図３に示す入力装置１０の要部を拡大した斜視図である。また、図６は、図３に示す入力装置１０の要部を背面側から見た概略図であり、図７は、図３に示す入力装置１０が備えるハウジングプレート４０の要部を拡大した斜視図である。なお、図６においては、視認し易くするために、ベースプレート２６の一部（第１フック６１及び第２フック６２）のみが図示されている。
【００３９】
図３及び図４に示すように、ベースプレート２６の前端面側には、ベースプレート２６の上面からタッチパッド２２（操作入力部）側に向けて断面Ｌ字状に起立形成されたフック（第１フック）６１と、このフック６１と対向する他のフック（第２フック）６２とを備えている。これら第１フック６１及び第２フック６２は、ベースプレート２６の前端面側において、前後方向に左右一対設けられている（図３参照）。
【００４０】
図３に示すように、ハウジングプレート４０の前端面側には、ラッチ部７０が左右一対設けられており、それぞれのラッチ部７０は、第１フック６１に当接可能なアーム部材（第１アーム部材）７１と、第２フック６２に当接可能な他のアーム部材（第２アーム部材）７２とを備えている。ラッチ部７０は、これら第１アーム部材７１と第２アーム部材７２により平面視略Ｖ字形状をしている（図５、図６参照）。すなわち、第１アーム部材７１と第２アーム部材７２の先端側が離間するように配置されている。
【００４１】
また、これらの第１アーム部材７１及び第２アーム部材７２は、タッチパッド２２に対する押下操作の操作方向と交差する方向に突出形成され、その先端部において第１フック６１及び第２フック６２にそれぞれ当接可能とされている。さらに、第１アーム部材７１と第２アーム部材７２との先端には、互いに対向する方向に突出した突出片７１ａ，７２ａがそれぞれ設けられており、この突出片７１ａ，７２ａに、第１フック６１及び第２フック６２が当接可能とされている。
【００４２】
タッチパッド２２を押下操作していない状態においては、図５及び図６に示すように、第１フック６１と第１アーム部材７１との先端同士が上下方向に当接することによって、タッチパッド２２の上昇限度が規定されている。すなわち、第１フック６１と第１アーム部材７１は、ベースプレート２６に対してハウジングプレート４０を重ねる方向に結合する部分である。
【００４３】
また、タッチパッド２２を押下操作していない状態においては、第２フック６２と第２アーム部材７２との間には、わずかに隙間が設けられており、第２フック６２と第２アーム部材７２とが互いに接触していない。すなわち、第１フック６１に対して第２フック６２は、一段高い位置に設けられており、これにより、タッチパッド２２を押下操作していない状態においては、第２アーム部材７２と接触しないようになっている（図９参照）。このように、第２アーム部材７２は、タッチパッド２２の上昇限度よりも上方となる位置で第２フック６２と当接可能に構成されている。
【００４４】
ここで、第１フック６１及び第１アーム部材７１の少なくとも一方は、互いの当接方向に対して弾性を有しており、本実施形態では、第１フック６１及び第１アーム部材７１の両方が互いの当接方向（図３において上下方向）に対して弾性を有している。具体的には、第１フック６１は第２フック６２よりも、基端から先端までの長さが長く、かつ幅狭に形成されることにより上下方向に弾性を有する構成とされている（図４参照）。また、第１フック６１において、板厚を薄く（薄肉）することにより、弾性を大きくすることもできる。
【００４５】
一方、第１アーム部材７１は、第２アーム部材７２に対して薄肉に形成されていることにより弾性を有する構成とされている。具体的には、図７に示すように、第１アーム部材７１は、Ｌ３で示される厚さよりも薄肉に形成された厚さＬ２を有する薄肉部７１ｂを有している。すなわち、図７に示すように、厚さＬ１の分だけ、薄肉部７１ｂは、第２アーム部材７２よりも厚さが薄くなっている。
【００４６】
換言すると、第２フック６２は、第１フック６１よりも基端から先端までの長さが短く、かつ幅広に形成されることにより、第２フック６２が第１フック６１よりも剛性が高くなっている。また、第２アーム部材７２は、第１アーム部材７１よりも厚肉に形成されることにより、第２アーム部材７２が第１アーム部材７１よりも、剛性が高くなっている。
【００４７】
図８は、本発明の一実施形態に係る入力装置１０が備えるタッチパッド２２を押下操作した状態を模式的に示す側面断面図である。図９は、図５のＩＸ−ＩＸ断面を示す断面図である。なお、図９の上の図が、タッチパッド２２を押下操作したときの状態を示し、下の図が、押下操作した後に、元の位置（押下操作していない状態）に戻ったときの状態を示している。
【００４８】
図８に示すように、タッチパッド２２の前側を押下操作すると、突出片５０に対してタッチパッド２２が回動してタッチパッド２２の前側が下方に下がる。このとき、検出スイッチ５５が押されることで、押下操作が基板プレート４２により検出される。ここで、図８及び図９の上側の図に示すように、押下操作をすることにより第１フック６１と第１アーム部材７１とが当接した状態から離れた状態となる。そして、押下操作した状態から元の位置に戻ると、第１フック６１と第１アーム部材７１とが再び当接し、音（返り音）が生じる。入力装置１０においては、第１フック６１と第１アーム部材７１とが弾性を有する構成とされており、これにより、返り音が弾性部分によって吸収されて返り音を低減することができる。
【００４９】
さらに、入力装置１０において、第２アーム部材７２は、タッチパッド２２の上昇限度よりも上方となる位置で第２フック６２と当接可能に構成されているので、大きな力が付加されても第２アーム部材７２と第２フック６２とが当接することにより、タッチパッド２２がベースプレート２６から外れてしまうことを防止できる。すなわち、この第２アーム部材７２と第２フック６２とが抜け止めとして機能し、例えば第１アーム部材７１と第１フック６１とによってタッチパッド２２の上昇限度を規定できないような大きな力が付与されても、タッチパッド２２がベースプレート２６から外れてしまうことを防止できる。
【００５０】
ここで、図９に示すように、第２アーム部材７２は、タッチパッド２２の上昇限度よりもＬ４の距離だけ上方となる位置で第２フック６２と当接可能とされている。これにより、入力装置１０においては、タッチパッド２２を押下操作した後に元の位置に戻る際に、先に第１アーム部材７１と第１フック６１とが当接するため、返り音を低減させるとともに、第２アーム部材７２と第２フック６２とを抜け止めとして機能させることができる。
【００５１】
また、入力装置１０において、第２アーム部材７２が第１アーム部材７１よりも高い剛性を有するので、タッチパッド２２とベースプレート２６とに大きな力が付与されても、第２フック６２と剛性が高い第２アーム部材７２とを当接させて確実に抜け止めとして機能させることができ、タッチパッド２２がベースプレート２６から外れることを防止可能となる。
【００５２】
また、入力装置１０において、第２フック６２が第１フック６１よりも高い剛性を有するので、タッチパッド２２とベースプレート２６とに大きな力が付与されても、第２アーム部材７２と剛性が高い第２フック６２とを当接させて確実に抜け止めとして機能させることができ、タッチパッド２２がベースプレート２６から外れることを防止可能となる。
【００５３】
また、入力装置１０において、第１アーム部材７１及び第２アーム部材７２はタッチパッド２２に対する押下操作の操作方向と交差する方向に突出形成されているので、入力装置１０の厚み方向の寸法が増加することを回避することができ、入力装置１０の薄型化が可能となる。ここで、第１アーム部材７１及び第２アーム部材７２はタッチパッド２２に対する押下操作の操作方向と略直交する方向に突出形成されていることが好ましい。
【００５４】
また、ラッチ部７０は、第１アーム部材７１と第２アーム部材７２がＶ字形状に形成されているので、下方側からベースプレート２６の第１フック６１及び第２フック６２とを押し込むことによって、第１アーム部材７１と第２アーム部材７２とが離れる方向に押し広げて、ラッチ部７０に第１フック６１及び第２フック６２を嵌め込むことができる。ここで、第１アーム部材７１と第２アーム部材７２との先端には、互いに対向する方向に突出した突出片７１ａ，７２ａがそれぞれ設けられている。この突出片７１ａ，７２ａに第１フック６１と第２フック６２とが、それぞれの突出片７１ａ，７２ａに当接可能である。
【００５５】
なお、本発明は、上記した実施形態に限定されるものではなく、本発明の主旨を逸脱しない範囲で自由に変更できることは勿論である。
【００５６】
例えば、上記実施形態では、ラッチ部が第１アーム部材及び第２アーム部材を備える場合について説明したが、第２アーム部材を備えていなくてもよい。この場合、ベースプレートは、第２フックを備えていなくてもよい。
【００５７】
また、ラッチ部が、対向する２つの第１アーム部材を備える構成としてもよい。この場合、これらの第１アーム部材に、弾性を有する２つの第１フックがそれぞれ当接するように構成してもよい。
【００５８】
また本発明は、タッチパッド２２をベースプレート２６上で可動支持したクリックパッド以外の入力装置にも適用可能である。
【符号の説明】
【００５９】
１０  入力装置
１２  電子機器
１４  本体筐体
１６  キーボード装置
１８  ディスプレイ筐体
１８ａ  ディスプレイ装置
２０  ポインティングスティック
２２  タッチパッド（操作入力部）
２２ａ  タッチ操作面
２４ａ〜２４ｃ  押しボタン
２６  ベースプレート
４０  ハウジングプレート
４２  基板プレート
４４  パッドプレート
４６  弾性片
４６ａ  爪部
４７  係合片
５０  突出片
５０ａ  当接板
５０ｂ  凸部
５５  検出スイッチ
５６  弾性押圧部
６１  フック（第１フック）
６２  他のフック（第２フック）
７０  ラッチ部
７１  アーム部材（第１アーム部材）
７２  他のアーム部材（第２アーム部材）
７１ａ，７２ａ  突出片
７１ｂ  薄肉部
Ｇ  グランドライン
【要約】
【課題】操作入力部を押下操作し、操作入力部が元の位置に戻る際に生じる音を低減可能な入力装置及び電子機器を提供する。
【解決手段】入力装置において、ベースプレートは、操作入力部側に向かって起立形成されたフック６１を備え、前記操作入力部は、フック６１に当接可能なアーム部材７１を備え、アーム部材７１がフック６１に当接することで前記操作入力部の上昇限度が規定され、アーム部材７１又はフック６１の少なくとも一方が、互いの当接方向に対して弾性を有することを特徴とする。
【選択図】図５【図１】
0005947962.tif 000002
【図２】
0005947962.tif 000003
【図３】
0005947962.tif 000004
【図４】
0005947962.tif 000005
【図５】
0005947962.tif 000006
【図６】
0005947962.tif 000007
【図７】
0005947962.tif 000008
【図８】
0005947962.tif 000009
【図９】
0005947962.tif 000010